(57)【要約】【課題】吸収体の折れ曲がり部分に深い折り皺が入ることを抑制し、折り皺に起因する横漏れのリスクを低減すること。【解決手段】上記課題は、製品状態で三つ折りにされたテープ式使い捨ておむつ１００であって、細長状弾性伸縮部材３０よりも幅方向中央側の位置であって、かつ、吸収体３の幅方向外側端部のうち、テープ式使い捨ておむつ１００の折り曲げ部Ｌが在る外側屈曲部分５０、外側屈曲部分５０の前後方向中央側に隣接する中央側隣接部分５１、および外側屈曲部分５０の前後方向外側に隣接する外側隣接部分５２の少なくともいずれか一つの位置に、吸収体３のその他の部分よりも剛性が高い高剛性部６０が設けられている、ことを特徴とするテープ式使い捨ておむつにより解決される。【選択図】図６
2020162829.tif 000002
【特許請求の範囲】
【請求項１】
股間部と、前記股間部の前側に延在する腹側部分と、前記股間部の後側に延在する背側部分と、
幅方向中央に沿って前記腹側部分から前記股間部を通り前記背側部分まで設けられた吸収体と、
前記腹側部分の前記吸収体の両側縁より幅方向外側にそれぞれ延出する腹側サイドフラップ部と、
前記股間部の前記吸収体の両側縁より幅方向外側にそれぞれ延出する股間サイドフラップ部と、
前記背側部分の前記吸収体の両側縁より幅方向外側にそれぞれ延出する背側サイドフラップ部と、
前記腹側サイドフラップ部から前記股間サイドフラップ部を通り前記背側サイドフラップ部まで延在する、前後方向に伸長した状態で配置される細長状弾性伸縮部材と、を有し、
製品状態で、前記腹側部分および前記背側部分の一方が前記吸収体の内面に向かって折り曲げられ、さらに前記腹側部分および前記背側部分の他方が折り曲げられた部分の上に被さるように折り曲げられて、三つ折りにされたテープ式使い捨ておむつにおいて、
前記細長状弾性伸縮部材よりも幅方向中央側の位置であって、かつ、
前記吸収体の幅方向外側端部のうち、前記テープ式使い捨ておむつの折り曲げ部が在る外側屈曲部分、前記外側屈曲部分の前後方向中央側に隣接する中央側隣接部分、および前記外側屈曲部分の前後方向外側に隣接する外側隣接部分の少なくともいずれか一つの位置に、
前記吸収体のその他の部分よりも剛性が高い高剛性部が設けられている、ことを特徴とするテープ式使い捨ておむつ。
【請求項２】
前記高剛性部は前後方向に延在してなるものである請求項１に記載のテープ式使い捨ておむつ。
【請求項３】
前記テープ式使い捨ておむつは、前後方向に伸縮可能な起立弾性伸縮部材とギャザーシートを有する立体ギャザーを有し、
前記立体ギャザーは、前記テープ式使い捨ておむつの幅方向両側部に配置され、
前記テープ式使い捨ておむつの前後方向両端部で、前記ギャザーシートが倒伏状態で前記テープ式使い捨ておむつの内面に固定されており、前記テープ式使い捨ておむつの前後方向中間部で、前記ギャザーシートが前記テープ式使い捨ておむつの内面に固定されておらず、前記固定されていない部分に前記起立弾性伸縮部材が設けられ、前記起立弾性伸縮部材が前後方向に収縮することにより、前記ギャザーシートが前記テープ式使い捨ておむつの使用面に対して起立する構成とされ、
前記高剛性部は、幅方向外側から内側へ向かって突出して細長状に形成されており、
前記高剛性部の幅方向外側の股間側端部が前記中央側隣接部分に位置し、前記高剛性部の幅方向外側のウエスト側端部が前記外側隣接部分に位置する請求項１に記載のテープ式使い捨ておむつ。
【発明の詳細な説明】
【技術分野】
【０００１】
本発明は、テープ式使い捨ておむつに関する。
【背景技術】
【０００２】
一般的なテープ式使い捨ておむつ（図７）は、股間部と、股間部の前側に延在する腹側部分Ｆと、股間部の後側に延在する背側部分Ｂとを有し、幅方向中央に沿って腹側部分Ｆから股間部を通り背側部分Ｂまで吸収体が設けられている。腹側部分Ｆ、股間部、および背側部分Ｂは、吸収体の両側縁より幅方向外側にそれぞれ延出するサイドフラップ部ＳＦをそれぞれ有する。背側部分Ｂの背側サイドフラップ部ＳＦは、幅方向外側へそれぞれ突出する止着テープ５を有し、身体への装着に際して、止着テープ５を腰の両側から腹側外面に回して腹側外面に止着する構造となっている。
このようなテープ式使い捨ておむつは、乳幼児向けとして用いられる他、介護用途（成人用途）で広く使用されている。
【０００３】
テープ式使い捨ておむつは前後方向の長さが長いため、通常は吸収体の内面を内側にして折り畳んだ状態で包装フィルムに収納されている。詳しくは、前後方向の長さが比較的短い乳幼児用の製品は二つ折りにすることが多く、前後方向の長さが比較的長い成人用の製品は三つ折りにすることが多い。
消費者は、包装フィルムからおむつを取り出し、折り畳まれた状態のおむつを広げて平らな状態に戻した後に、身体に宛がって装着する。
【先行技術文献】
【特許文献】
【０００４】
【特許文献１】特開２０１５−０２４０７０号公報
【特許文献２】特開２０１８−０００４３９号公報
【発明の概要】
【発明が解決しようとする課題】
【０００５】
図８に示すように、消費者が折り畳まれた状態のおむつを広げて平らな状態に戻す際に、折り畳まれていた部分の吸収体に折り皺ＧＰが入っている場合や、折り畳まれていた部分の吸収体同士が厚み方向に重なり合って段差ＵＥが生じている場合がある。
消費者が吸収体に生じた折り皺ＧＰを直さずに装着した場合、折り皺ＧＰの窪みにより、装着者の肌面とおむつの間に空間ができるため、尿漏れなどの原因になるおそれがある。特に、折り皺ＧＰの窪みは吸収体の幅方向に沿って延在していることが多いため、足回り部分からの尿漏れのリスクを高める要因となる。
また、消費者が吸収体に生じた段差ＵＥを直さずに装着した場合、おむつの装着感が悪化するおそれがある。特に製品を三つ折りにしていた場合に、背側の折り畳まれていた部分の吸収体に段差ＵＥが生じていると、座ったときや横になったときに段差ＵＥが臀部に当たり、違和感を覚えやすい。
【０００６】
そこで、本発明の主たる課題は、吸収体の折り皺に起因する尿漏れのリスクを低減することにある。また、折り畳むことによって生じる吸収体の段差によって、装着感が低下することを防止することにある。
【課題を解決するための手段】
【０００７】
上記課題を解決した本発明は次記のとおりである。
＜第１の態様の発明＞
股間部と、前記股間部の前側に延在する腹側部分と、前記股間部の後側に延在する背側部分と、
幅方向中央に沿って前記腹側部分から前記股間部を通り前記背側部分まで設けられた吸収体と、
前記腹側部分の前記吸収体の両側縁より幅方向外側にそれぞれ延出する腹側サイドフラップ部と、
前記股間部の前記吸収体の両側縁より幅方向外側にそれぞれ延出する股間サイドフラップ部と、
前記背側部分の前記吸収体の両側縁より幅方向外側にそれぞれ延出する背側サイドフラップ部と、
前記腹側サイドフラップ部から前記股間サイドフラップ部を通り前記背側サイドフラップ部まで延在する、前後方向に伸長した状態で配置される細長状弾性伸縮部材と、を有し、
製品状態で、前記腹側部分および前記背側部分の一方が前記吸収体の内面に向かって折り曲げられ、さらに前記腹側部分および前記背側部分の他方が折り曲げられた部分の上に被さるように折り曲げられて、三つ折りにされたテープ式使い捨ておむつにおいて、
前記細長状弾性伸縮部材よりも幅方向中央側の位置であって、かつ、
前記吸収体の幅方向外側端部のうち、前記テープ式使い捨ておむつの折り曲げ部が在る外側屈曲部分、前記外側屈曲部分の前後方向中央側に隣接する中央側隣接部分、および前記外側屈曲部分の前後方向外側に隣接する外側隣接部分の少なくともいずれか一つの位置に、
前記吸収体のその他の部分よりも剛性が高い高剛性部が設けられている、ことを特徴とするテープ式使い捨ておむつ。
【０００８】
（作用効果）
折り畳まれたおむつを広げて平らな状態に戻すとき、細長状弾性伸縮部材が収縮すると、吸収体にも収縮力が伝達され、折り皺が残りやすくなる。また、前記細長状弾性伸縮部材の収縮力によって、吸収体が前後方向に収縮し、吸収体同士が重なり合って段差が生じる。
【０００９】
本発明者は、研究開発の結果、細長状弾性伸縮部材よりも幅方向中央側の位置であって、かつ、吸収体の幅方向外側端部のうち、折り曲げ部が在る外側屈曲部分、外側屈曲部分の前後方向中央側に隣接する中央側隣接部分、および外側屈曲部分の前後方向外側に隣接する外側隣接部分の少なくともいずれか一つの位置に、吸収体のその他の部分よりも剛性が高い高剛性部を設けた。このような位置に設けた高剛性部によって、細長状弾性伸縮部材の収縮力が吸収体に伝達されることを抑止し、折り皺の発生や、折り畳みによる段差の発生を抑えることができたためである。なお、この細長状弾性伸縮部材は、足回りのフィット性を高めて尿などの横漏れを防ぐために設けられたものであり、平面ギャザーということもできる。この平面ギャザーは、立体ギャザーとは異なり、立体ギャザーよりも幅方向外側に位置する。
【００１０】
折り皺の発生や折り畳みによる段差の発生を防ぐ観点からは、おむつの前後方向において、折り曲げ部に近い位置ほど、吸収体の折り曲げ部に対する影響（細長状弾性伸縮部材の収縮力の影響）が大きいため、できるだけ折り曲げ部に近い位置に高剛性部を設けることが好ましい。そのため、外側屈曲部分、中央側隣接部分および外側隣接部分のいずれか１箇所に高剛性部を設けるとするならば、外側屈曲部分に設けることが最も好ましい。もっとも、外側屈曲部分に設けずに、中央側隣接部分または外側隣接部分に設けるようにしても良い。なお、外側屈曲部分、中央側隣接部分および外側隣接部分のいずれか１箇所に設けるよりは、外側屈曲部分、中央側隣接部分および外側隣接部分のうち、任意に選んだ複数の部分や、すべての部分に高剛性部を設ける態様にするほうが良い。高剛性部を設ける範囲が広くなるほど、細長状弾性伸縮部材の収縮力が吸収体に伝達されることを抑止できるからである。
【００１１】
＜第２の態様＞
前記高剛性部は前後方向に延在してなるものである前記第１の態様のテープ式使い捨ておむつ。
【００１２】
（作用効果）
テープ式使い捨ておむつの前後方向に延在するように高剛性部を設けることが好ましい。吸収体の折り皺や折り畳みによる段差は、テープ式使い捨ておむつの幅方向に沿って生じることが多い。そのため、その折り皺と交差する前後方向に沿って延在するように高剛性部を設けると、吸収体の折り皺や折り畳みによる段差の発生を抑止する効果が高くなる。
【００１３】
吸収体の折り皺や折り畳みによる段差の発生を効果的に抑止するためには、折り曲げ部を跨ぐようにして、高剛性部を前後方向に延在させることが好ましい。
【００１４】
＜第３の態様＞
前記テープ式使い捨ておむつは、前後方向に伸縮可能な起立弾性伸縮部材とギャザーシートを有する立体ギャザーを有し、
前記立体ギャザーは、前記テープ式使い捨ておむつの幅方向両側部に配置され、
前記テープ式使い捨ておむつの前後方向両端部で、前記ギャザーシートが倒伏状態で前記テープ式使い捨ておむつの内面に固定されており、前記テープ式使い捨ておむつの前後方向中間部で、前記ギャザーシートが前記テープ式使い捨ておむつの内面に固定されておらず、前記固定されていない部分に前記起立弾性伸縮部材が設けられ、前記起立弾性伸縮部材が前後方向に収縮することにより、前記ギャザーシートが前記テープ式使い捨ておむつの使用面に対して起立する構成とされ、
前記高剛性部は、幅方向外側から内側へ向かって突出して細長状に形成されており、
前記高剛性部の幅方向外側の股間側端部が前記中央側隣接部分に位置し、前記高剛性部の幅方向外側のウエスト側端部が前記外側隣接部分に位置する前記第１の態様のテープ式使い捨ておむつ。
【００１５】
（作用効果）
細長状弾性伸縮部材が収縮すると、その収縮力の影響を受けて、高剛性部の幅方向外側の股間側端部が前後方向外側へ移動し、高剛性部の幅方向外側のウエスト側端部が前後方向中央側へ移動する。言い換えれば、高剛性部の幅方向外側に在る両端部が、それぞれ折れ曲がり部へ向かって移動する。その結果、高剛性部の幅方向内側が立ち上がりやすくなり、その影響を受けて、立体ギャザーの立ち上がりが促進される。
【発明の効果】
【００１６】
以上のとおり本発明によれば、吸収体の折り皺の発生を抑えることができるため、折り皺に起因する尿漏れのリスクを低減することができる。また、折れ曲がり部分において、吸収体に段差が生じにくくなるため、装着感の低下を防止することができる。
【図面の簡単な説明】
【００１７】
【図１】テープ式使い捨ておむつの展開状態の内面側を示す平面図である。
【図２】図１のＸ−Ｘ断面図である。
【図３】図１のＷ−Ｗ断面図である。
【図４】テープ式使い捨ておむつの展開状態の外面側を示す平面図である。
【図５】図１のＹ部分の拡大図である。
【図６】図５のＺ部分の拡大図であり、高剛性部の説明図である。
【図７】従来のテープ式使い捨ておむつの装着状態の左側を示す概略図である。
【図８】従来のテープ式使い捨ておむつの背側部分の内面を撮影した写真である。
【図９】本発明に係るテープ式使い捨ておむつの背側部分の内面を撮影した写真である。
【図１０】本発明に係るテープ式使い捨ておむつを三つ折りに折り畳む手順の説明図である。
【図１１】本発明に係るテープ式使い捨ておむつ（三つ折り）の展開手順の説明図である。
【図１２】本発明に係るテープ式使い捨ておむつを二つ折りに折り畳む手順の説明図である。
【発明を実施するための形態】
【００１８】
以下、本発明の一実施形態について添付図面を参照しつつ詳説する。
（テープ式使い捨ておむつについて）
図１〜図４は、本発明に係るテープ式使い捨ておむつの一例１００を示しており、この使い捨ておむつ１００は、裏面側に位置するバックシート１と肌に接触する透液性トップシート２との間に、吸収体３が介在されているものである。股間部Ｃは使用時に身体の股間と対応させる部分を意味し、殆ど多くの製品では前後方向中央部及びその前後近傍の部分である。具体的には、成人向け吸収性物品の場合、製品の前後方向中央を基準として±１５０ｍｍの範囲である。また、腹側部分（前側部分）Ｆは股間部Ｃよりも前側の部分を意味し、背側部分（後側部分）Ｂは股間部Ｃよりも後側の部分を意味する。
【００１９】
吸収体３としては、パルプ繊維の積繊体、セルロースアセテート等のフィラメントの集合体、あるいは不織布を基本とし、必要に応じて高吸収性ポリマーを混合、固着等してなるものを用いることができる。また、必要に応じて、吸収体３はクレープ紙（図示せず）により包むことができる。また、吸収体３の形状は適宜定めることができるが、図示のような砂時計形状の他、長方形等のように、股間部の前側から後側まで延在する形状が好適である。吸収体４におけるパルプ目付けは１００〜５００ｇ／ｍ2程度、厚みは１〜１５ｍｍ程度であるのが望ましい。また、高吸水性樹脂の目付けは０〜３００ｇ／ｍ2程度であるのが望ましい。高吸水性樹脂含有率が少な過ぎると、十分な吸収能を与えることができず、多過ぎるとパルプ繊維間の絡み合いが無くなり、ヨレや割れ等が発生し易くなる。
【００２０】
バックシート１は、吸収体３の周囲より外側に延在しており、吸収体３に吸収された排泄物の裏面側への移動を遮断するものである。バックシート１としては、ポリエチレンフィルム等のプラスチックフィルムの他、ムレ防止の点から遮水性を損なわずに透湿性を備えたシートも用いることができる。この遮水・透湿性シートは、例えばポリエチレンやポリプロピレン等のオレフィン系樹脂中に無機充填材を溶融混練してシートを形成した後、一軸または二軸方向に延伸することにより得られる微多孔性シートを用いることができる。バックシート１の単位面積あたりの重量は１０〜４０ｇ／ｍ2であるのが好ましく、厚みは０．０１〜０．１ｍｍであるのが好ましい。
【００２１】
バックシート１の裏面は外装シート１２で覆われており、この外装シート１２の両側部はバックシート１の側縁よりも外側に延在している。外装シート１２としては各種の不織布を用いることができるが、スパンボンド不織布が好適である。外装シート１２は省略することもでき、その場合、バックシート１が外装シート１２と同形状に形成される。
【００２２】
トップシート２は、吸収体３の周囲より外側に延在しており、吸収体３側縁より外側に延在する部分がバックシート１にホットメルト接着剤等により固着されている。トップシート２としては、有孔または無孔の不織布や穴あきプラスチックシートなどが用いられる。不織布を構成する素材繊維としては、ポリエチレンまたはポリプロピレン等のオレフィン系、ポリエステル系、アミド系等の合成繊維の他、レーヨンやキュプラ等の再生繊維、綿等の天然繊維を用いることができる。透液性トップシート２に用いる不織布の繊維目付けは１５〜３０ｇ／ｍ2であるのが好ましく、厚みは０．０５〜１ｍｍであるのが好ましい。
【００２３】
図２及び図３にも示されるように、物品内面の両側部（図示形態ではトップシート２の側縁部表面からその側方に延在する外装シート１２の表面）には、バリヤーシート４の幅方向外側の部分４ｘが前後方向全体にわたり貼り付けられている。バリヤーシート４は、各種不織布（スパンボンド不織布が好適である）の他、バックシートに用いられるものと同様のプラスチックフィルム、又はこれらの積層シートを用いることができるが、肌への感触性の点で、撥水処理を施した不織布が好適である。バリヤーシート４の幅方向中央側の部分４ｃは、前後方向両端部では物品内面（図示形態ではトップシート２表面）にホットメルト接着剤等の手段により固着されているが、これらの間の中間部は非固定の自由部分となっており、この自由部分の先端部（展開状態における幅方向中央側の端部）には、バリヤーシートの起立に寄与する起立弾性伸縮部材４Ｇが前後方向に沿って伸張状態でホットメルト接着剤等により固定されている。この起立弾性伸縮部材４Ｇ（他の起立弾性伸縮部材や細長状弾性伸縮部材３０も同様）としては、糸状、紐状、帯状等に形成された、スチレン系ゴム、オレフィン系ゴム、ウレタン系ゴム、エステル系ゴム、ポリウレタン、ポリエチレン、ポリスチレン、スチレンブタジエン、シリコン、ポリエステル等、通常使用される素材を用いることができる。この自由部分は、起立弾性伸縮部材４Ｇの収縮力が作用する結果、図４に示されるように、物品内面（図示形態ではトップシート２表面）に対して起立するバリヤーを構成する。この起立部分の基端４ｂはバリヤーシート４における幅方向外側の固定部分４ｘと内側の部分４ｃとの境に位置する。このように、起立弾性伸縮部材４Ｇが収縮して生じるバリヤーのことを立体ギャザーともいい、この立体ギャザーを構成するバリヤーシート４をギャザーシートともいう。
【００２４】
使い捨ておむつ１００の前後方向両端部では、バックシート１、外装シート１２、透液性トップシート２およびバリヤーシート４が吸収体３の前後端よりも前後両側にそれぞれ延在され、吸収体３の存在しないエンドフラップ部ＥＦが形成されている。
【００２５】
一方、使い捨ておむつ１００の左右両側部では、バックシート１、外装シート１２、透液性トップシート２およびバリヤーシート４が吸収体３の側縁よりも側方にそれぞれ延在され、吸収体３の存在しないサイドフラップ部が形成されており、各サイドフラップ部におけるシート間（図示例ではバックシート１及びトップシート２間）（サイドフラップ部を構成するシートをサイドフラップシートともいう）には、腹側部分Ｆのウエスト側部分から背側部分Ｂのウエスト側部分まで、複数本の細長状弾性伸縮部材３０が間隔を空けて平行に且つそれぞれ長手方向に伸張した状態で挟持固定されている。
【００２６】
サイドフラップ部のうち腹側部分Ｆのウエスト側部分及び背側部分Ｂのウエスト側部分にそれぞれ位置する部分は、それらの間の中間部分よりも側方に延出されており、これらの部分が、おむつの胴回り部分となるウエスト側サイドフラップ部ＳＦをそれぞれ構成する。
【００２７】
背側部分Ｂの両ウエスト側サイドフラップ部ＳＦは、その側縁の上端部及び下端部近傍からそれぞれ突出する止着テープ５が取り付けられている。腹側部分Ｆのウエスト側端縁と背側部分Ｂのウエスト側端縁とが合わさるように、おむつ１００の前後方向中央を境に二つ折りした状態では、腹側部分Ｆのウエスト側サイドフラップ部ＳＦの下縁は背側部分Ｂの下端部近傍の止着テープ５の下縁より股間側に位置するように、サイドフラップ部ＳＦの寸法・形状及び止着テープ５の位置等が定められている。また、腹側部分Ｆの胴回り部表面に幅方向に沿ってフロントターゲットテープ６が貼着されており、身体への装着に際しては、おむつ１００を身体にあてがった状態で、両側のファスニングテープ５を腰の各側から腹側外面に回してフロントターゲットテープ６に止着する。フロントターゲットテープ６は省略することもでき、その場合には止着テープ５はおむつ外面（図示形態の場合外装シート１２）に直に止着される。
【００２８】
図示例の止着テープ５は、ウエスト側サイドフラップ部ＳＦの側端部の裏面にホットメルト接着剤等の手段により固着された基端部、及びウエスト側サイドフラップ部ＳＦの側端から突出する先端側部分を有する主基材シート８Ａと、主基材シートの先端部近傍の内面に接着剤等の手段により固着されたフックテープ（メカニカルファスナーの雄材）９と、ウエスト側サイドフラップ部ＳＦの側端部の表面における主基材シート８Ａの基端部と重なる部位にホットメルト接着剤等の手段により固着された基端部、及びウエスト側サイドフラップ部ＳＦの側端から突出し、主基材シート８Ａの先端側部分におけるフックテープ９よりも基端側の部分に接着剤等の手段により固着された先端側部分を有する副基材シート８Ｂとを有するものである。止着テープ５は、未使用時にはおむつ内面側に折り返されて仮止めされており、使用時に展開される。主基材シート８Ａ及び副基材シート８Ｂとしては、ポリエチレン（ＰＥ）、ポリプロピレン（ＰＰ）、ＰＥＴ（ポリエチレンテレフタレート）等のオレフィン系樹脂のシートを用いることができ、主基材シート８Ａについては強度の観点から厚さが４０〜３００μｍ、特に６０〜２００μｍ程度であるのが好ましい。
【００２９】
図５に図１のＹ部分の拡大図を示す。このＹ部分には３本の細長状弾性伸縮部材３０が存在する。詳しくは、最も幅方向内側に位置する細長状弾性伸縮部材３０Ａ、最も幅方向外側に位置する細長状弾性伸縮部材３０Ｃ、それらの間に位置する細長状弾性伸縮部材３０Ｂからなる。この図５において、前後方向の後側には背側折り曲げ部ＢＬが設けられ、前後方向の前側には腹側折り曲げ部ＦＬが設けられている。そして、細長状弾性伸縮部材３０よりも幅方向中央側の位置であって、かつ、吸収体３の幅方向外側端部のうち、テープ式使い捨ておむつの折り曲げ部Ｌが在る部分を外側屈曲部分５０とする。図面上は、説明の便宜のために、折り曲げ部ＢＬを幅方向に延在する１本の直線で表している（詳しくは、他の部材と見分けやすくするために、太い二点鎖線にしている）が、実際は１本の直線になることは稀である。実際上は、幅方向に延在しているものの、多少の蛇行した線になることが多く、複数本の線が生じていることもある。また、背側折り曲げ部ＢＬの前後方向の長さもある程度の長さがあることが多く、具体的には、１０〜２０ｍｍ程度の長さを有することが多い。したがって、外側屈曲部分５０自体が、平面視で、ある程度の面積を備えたものになる。具体的には、図６（Ａ）に示す外側屈曲部分５０の前後方向の長さ５０ｄは、約２０〜４０ｍｍである。そして、１０〜２０ｍｍとすることがより好ましく、１０ｍｍとすることが最も好ましい。本発明においては、折り曲げ部Ｌが、おむつの幅方向に沿って、おむつの前後方向と直交する方向に、延在するものと仮定し、その仮定の下で、外側屈曲部分５０や、後述の中央側隣接部分５１や外側隣接部分５２を定めるものとする。折り曲げ部Ｌ（ＦＬ、ＢＬ）の位置は、図１０や図１１に示すように、パッケージングのために折り畳まれたおむつ１００の、前後方向の端部をいう。
【００３０】
図６（Ａ）に示すように、外側屈曲部分５０よりも前後方向中央側には中央側隣接部分５１が存在する。この中央側隣接部分５１に高剛性部６０が設けられる可能性があることを考慮すると、中央側隣接部分５１の前後方向の長さ５１ｄは、１０〜３０ｍｍとすることが好ましく、１０〜１５ｍｍとすることがより好ましく、１５ｍｍとすることが最も好ましい。外側屈曲部分５０や外側隣接部分５２に高剛性部６０が設けられず、かつ、中央側隣接部分５１の全領域に高剛性部６０が設けられた場合を仮定したときに、前記長さ５１ｄが１０ｍｍよりも短いと、細長状弾性伸縮部材３０の収縮力が吸収体３０に伝わりやすくなり、折り曲げ部Ｌの吸収体３に深い折り皺が生じたり、吸収体３に段差が生じたりする可能性がある。他方、前記長さ５１ｄが３０ｍｍよりも長いと、高剛性部６０が着用者の肌に接触する面積が大きくなるため、着用者が不快に感じるおそれがある。
【００３１】
また、外側屈曲部分５０よりも前後方向外側には外側隣接部分５２が存在する。この外側隣接部分５２にも高剛性部６０が設けられる可能性があることを考慮すると、外側隣接部分５２の前後方向の長さ５２ｄは、１０〜３０ｍｍとすることが好ましく、１０〜１５ｍｍとすることがより好ましく、１５ｍｍとすることが最も好ましい。外側屈曲部分５０や中央側隣接部分５１に高剛性部６０が設けられず、かつ、外側隣接部分５２の全領域に高剛性部６０が設けられた場合を仮定したときに、前記長さ５２ｄが１０ｍｍよりも短いと、細長状弾性伸縮部材３０の収縮力が吸収体３０に伝わりやすくなり、折り曲げ部Ｌの吸収体３に深い折り皺が生じたり、吸収体３に段差が生じたりする可能性がある。他方、前記長さ５２ｄが３０ｍｍよりも長いと、高剛性部６０が着用者の肌に接触する面積が大きくなるため、着用者が不快に感じるおそれがある。
【００３２】
図６（Ａ）は、外側屈曲部分５０、中央側隣接部分５１および外側隣接部分５２に高剛性部６０を設けた例を示している。詳しくは、中央側隣接部分５１から外側屈曲部分５０を通って外側隣接部分５２まで、前後方向に沿って延在する高剛性部６０が設けられている。この高剛性部６０は、幅方向に所定の間隔を空けて３本設けられている。高剛性部６０の本数などは特に限定されないが、平面視で、外側屈曲部分５０、中央側隣接部分５１および外側隣接部分５２の各面積を合計した全面積に対して、高剛性部６０を設ける面積が大きくなるほど、吸収体３に折れ皺が生じたり、段差が生じたりすることを防ぐことができる。これは、細長状弾性伸縮部材３０の収縮力が、高剛性部６０で遮断されて、吸収体３の折れ曲がり部Ｌまで伝わりにくくなるからである。
【００３３】
前述のように、折れ曲がり部Ｌが幅方向に沿って生じ、おむつを展開状態にしたときに、その折れ曲がり部Ｌに幅方向に沿った皺が発生することを防止する必要があるため、折れ曲がり部Ｌと交差するように、高剛性部６０を前後方向に延在させることが好ましい。なお、図６（Ａ）では、折れ曲がり部Ｌと高剛性部６０の延在方向の間の角度αを９０度にしているが、直角に限られるものではない。具体的には、折れ曲がり部Ｌと高剛性部６０の間の角度αを３０〜１５０度の範囲にすることが好ましく、４５〜１３５度の角度にすることがより好ましく、９０度の角度にすることが最も好ましい。前記角度αが３０℃より小さいと、または１５０度よりも大きいと、折れ曲がり部Ｌの吸収体３に皺が発生することを抑止したり、段差が生じたりすることを抑止したりしづらくなる。
【００３４】
図６（Ｂ）は、高剛性部６０を幅方向外側から内側へ向かって突出して細長状に形成した例を示す。具体的には、高剛性部６０を曲線状（弧状）に形成し、折り曲げ線Ｌを基準として、前後方向に対称になるように形成している（この図示例では対称にしているが、非対称にしてもよい）。そして、前記高剛性部６０の幅方向外側の股間側端部６０ａが中央側隣接部分に位置し、高剛性部６０の幅方向外側のウエスト側端部６０ｂが外側隣接部分に位置している。
【００３５】
このような高剛性部６０を設けた状態で、細長状弾性伸縮部材３０が収縮すると、その収縮力の影響を受けて、高剛性部６０の幅方向外側の股間側端部６０ａが前後方向外側へ移動し、高剛性部の幅方向外側のウエスト側端部６０ｂが前後方向中央側へ移動する。詳しくは、図６（Ｂ）に矢印で示したように、高剛性部６０の幅方向外側に在る両端部６０ａ、６０ｂが、それぞれ折り曲がり部Ｌへ向かって移動する。その結果、高剛性部６０の幅方向内側部分６０ｃが、着用者の肌側へ向かって立ち上がりやすくなり、その影響を受けて、立体ギャザーの立ち上がりも促進される。
【００３６】
図６（Ｂ）のように、高剛性部６０を曲線状にするのではなく、図６（Ｃ）のように、高剛性部６０を「くの字」状にしても同様の効果を得ることができる。
【００３７】
なお、図６（Ｂ）（Ｃ）に示すように、立体ギャザーの立ち上がり効果を得るためには、高剛性部６０を立体ギャザーの立ち上がり基端の近傍位置に設けることが好ましい。
【００３８】
前述の各高剛性部６０は、たとえばエンボス加工によって形成することができる。そのほか、高剛性部６０を形成したい部分の吸収体３の目付量を他の部分よりも多くしても良い。具体的には、高剛性部６０の吸収体３の目付量を他の部分の１．５〜３倍にすることが好ましく、２〜３倍にすることがより好ましい。目付量が１．５倍よりも少ないと、吸収体３に折れ皺が生じたり、段差が生じたりすることを防ぐことが難しくなる。目付量が３倍よりも多いと、高剛性部６０が硬くなって、着用者の肌に触れた際に、着用者が不快感を覚えるおそれがある。高剛性部６０の吸収体３のパルプ目付量は、６００〜８００ｇ／ｍ2にすることが好ましく、６００〜７００ｇ／ｍ2にすることがより好ましい。他方、高剛性部６０以外の吸収体３のパルプ目付量は、２５０〜５００ｇ／ｍ2にすることが好ましく、３００〜４００ｇ／ｍ2にすることがより好ましい。
その他の高剛性部６０の形成方法としては、高剛性部６０を形成したい部分に、他の部材（例えば、不織布やフィルム）を混入したりしてもよい。
【００３９】
平面視における高剛性部６０の面積は、３〜６０ｃｍ2にすることが好ましく、８〜４０ｃｍ2にすることがより好ましく、１５〜３０ｃｍ2にすることがさらに好ましい。高剛性部６０の面積が３ｃｍ2よりも狭いと、高剛性部６０の作用（細長状弾性伸縮部材３０の収縮力が吸収体３へ伝達されることを防ぐ作用）を十分に発揮することができず、吸収体３に深い折り皺ＧＰが生じたり、段差ＵＥが生じたりする可能性がある。他方、高剛性部６０の面積が６０ｃｍ2よりも広いと、硬い高剛性部６０が着用者の肌に当たる面積が増えるため、着用者が不快感を覚えやすい。
【００４０】
高剛性部６０の前後方向の長さは、２０〜１００ｍｍにすることが好ましく、４０〜８０ｍｍにすることがより好ましく、５０〜７５ｍｍにすることがさらに好ましい。高剛性部６０の幅方向の長さは、１５〜６０ｍｍにすることが好ましく、２０〜５０ｍｍにすることがより好ましく、３０〜４０ｍｍにすることがさらに好ましい。高剛性部６０の前後方向の長さおよび幅方向の長さは、平面視における高剛性部６０の面積が前述の数値範囲内になるように計算して決定する。
【００４１】
なお、前述の平面視における高剛性部６０の面積の値は、おむつ１００の腹側または背側のいずれか一方であって、かつ、おむつ１００の幅方向の左側または右側のいずれか一方に設けられる高剛性部６０の面積について述べたものである。したがって、おむつ１００の腹側または背側のいずれか一方であって、かつ、おむつ１００の幅方向の左側および右側の両方に高剛性部６０を設ける場合は、おむつ１００の左側に設ける高剛性部６０の面積を３〜６０ｃｍ2にすることが好ましく、８〜４０ｃｍ2にすることがより好ましく、１５〜３０ｃｍ2にすることがさらに好ましく、おむつ１００の右側に設ける高剛性部６０の面積を３〜６０ｃｍ2にすることが好ましく、８〜４０ｃｍ2にすることがより好ましく、１５〜３０ｃｍ2にすることがさらに好ましい。おむつ１００の腹側および背側の両方に高剛性部６０を設ける場合も、上記と同様に考えればよい。要するに、おむつ１００を４等分する（おむつ１００の前後方向を腹側と背側に２等分するとともに、おむつ１００の幅方向を左側と右側に２等分する）と仮定し、４等分した各部分のそれぞれの高剛性部６０の面積が、前記範囲（好ましくは３〜６０ｃｍ2、より好ましくは８〜４０ｃｍ2、さらに好ましくは１５〜３０ｃｍ2。以下同じ）になるようにする。したがって、４等分した部分のうち、例えば、おむつ１００の背側であって、かつ幅方向左側の部分に、高剛性部６０を二つ設ける場合は、その二つの高剛性部６０の面積を合計した面積が前記範囲になるようにするとよい。
【００４２】
なお、平面視における高剛性部６０の形状は任意に定めることができる。図６に示す形状のほか、円形、三角形、波線形などにしてもよい。また、高剛性部６０の数も任意に定めることができる。図６では、１個設けた場合及び３個設けた場合を例示しているが、２個設けたり、４個以上設けたりしてもよい。
【００４３】
＜その他の説明＞
以上の説明における不織布としては、部位や目的に応じて公知の不織布を適宜使用することができる。不織布の構成繊維としては、例えばポリエチレン又はポリプロピレン等のオレフィン系、ポリエステル系、ポリアミド系等の合成繊維（単成分繊維の他、芯鞘等の複合繊維も含む）の他、レーヨンやキュプラ等の再生繊維、綿等の天然繊維等、特に限定なく選択することができ、これらを混合して用いることもできる。不織布の柔軟性を高めるために、構成繊維を捲縮繊維とするのは好ましい。また、不織布の構成繊維は、親水性繊維（親水化剤により親水性となった疎水性繊維を含む）であっても、疎水性繊維若しくは撥水性繊維（撥水剤により撥水性となった撥水性繊維を含む）であってもよい。また、不織布は一般に繊維の長さや、シート形成方法、繊維結合方法、積層構造により、短繊維不織布、長繊維不織布、スパンボンド不織布、メルトブローン不織布、スパンレース不織布、サーマルボンド（エアスルー）不織布、ニードルパンチ不織布、ポイントボンド不織布、積層不織布（同一又は類似の不織布層が積層されたＳＳＳ不織布等の他、異なる不織布層が積層された、スパンボンド層間にメルトブローン層を挟んだＳＭＳ不織布、ＳＭＭＳ不織布等）等に分類されるが、これらのどの不織布も用いることができる。積層不織布は、すべての層を含む一体の不織布として製造され、すべての層にわたる繊維結合加工がなされたものを意味し、別々に製造された複数の不織布をホットメルト接着剤等の接合手段により貼り合わせたものは含まない。
【００４４】
以上の説明では、大人用のテープ式おむつ１００を例示して説明した。大人用のテープ式おむつ１００は前後方向の長さが長い傾向がある。このおむつをパッケージングして販売する際には、消費者の便宜を図るためにパッケージの大きさを小型化する必要がある。そのため、図１０に示すように、一般にはおむつ１００を前後方向に約三等分した位置で三つ折り（まず、図１０（Ｄ）に示すように、まず三等分した一端側部分（図示例では腹側部分）をおむつ１００の内面に向かって折り畳み、図１０（Ｅ）に示すように、次に、その一端側部分の上に他端側端部を被せるように折り畳む折り方。巻き三つ折りともいう）した上でパッケージングされる。図１０（Ｆ）が三つ折りされた状態のおむつ１００である。図１０では、最初に腹側部分を折り畳み、その後に背側部分を折り畳んでいるが、最初に背側部分を折り畳み、その後に腹側部分を折り畳んでもよい。
消費者がおむつ１００を使用する際には、図１０とは逆の手順となり、図１１（Ｇ）、（Ｈ）、（Ｉ）の順におむつ１００を展開する（なお、おむつ１００の展開方向は、折り畳み方向と逆になる。）。
【００４５】
しかし、本発明はこのような三つ折り以外にも用いることができる。具体的には、乳幼児用のテープ式おむつは前後方向の長さが短い傾向があるため、二つ折りにしてパッケージングされる。具体的には、図１２に示すように、前後方向の中央部分が折り曲げ部Ｌとなるようにして、おむつ１００の内面が内側となるようにして、二つ折りされる（折り畳み手順は図１２（Ｊ）、（Ｋ）の順であり、展開手順はその反対である）。つまり、股間部Ｃまたは股間部Ｃ近傍に折り曲げ部Ｌ（ＳＬ）が形成される。この場合は、この折り曲げ部ＳＬと細長状弾性伸縮部材３０の外側屈曲部分５０、または外側屈曲部分５０の隣接部分（腹側隣接部分、背隣接部分）に高剛性部を設けるようにしてもよい。高剛性部の形成方法やその作用効果は、三つ折りの場合と同じであるため、ここでは記載を省略する。
【００４６】
＜明細書中の用語の説明＞
明細書中の以下の用語は、明細書中に特に記載が無い限り、以下の意味を有するものである。
【００４７】
・「前後方向」とは図中で前後方向と示す方向（縦方向）を意味し、「幅方向」とは図中で幅方向と示す方向（左右方向）を意味し、前後方向と幅方向とは直交するものである。
【００４８】
・「内面」とは部材の、着用した際に着用者の肌に近い方の面を意味し、「裏面」とは部材の、着用した際に着用者の肌から遠い方の面を意味する。
【００４９】
・「目付け」は次のようにして測定されるものである。試料又は試験片を予備乾燥した後、標準状態（試験場所は、温度２３±１℃、相対湿度５０±２％）の試験室又は装置内に放置し、恒量になった状態にする。予備乾燥は、試料又は試験片を温度１００℃の環境で恒量にすることをいう。なお、公定水分率が０．０％の繊維については、予備乾燥を行わなくてもよい。恒量になった状態の試験片から、試料採取用の型板(１００ｍｍ×１００ｍｍ)を使用し、１００ｍｍ×１００ｍｍの寸法の試料を切り取る。試料の重量を測定し、１００倍して１平米あたりの重さを算出し、目付けとする。
【００５０】
・「厚み」は、自動厚み測定器（ＫＥＳ−Ｇ５  ハンディ圧縮計測プログラム）を用い、荷重：０．０９８Ｎ／ｃｍ2、及び加圧面積：２ｃｍ2の条件下で自動測定する。有孔不織布の厚みは、孔及びその周囲の突出部以外の部分で測定する。
【００５１】
・吸水量は、ＪＩＳ  Ｋ７２２３−１９９６「高吸水性樹脂の吸水量試験方法」によって測定する。
【００５２】
・吸水速度は、２ｇの高吸収性ポリマー及び５０ｇの生理食塩水を使用して、ＪＩＳ  Ｋ７２２４‐１９９６「高吸水性樹脂の吸水速度試験法」を行ったときの「終点までの時間」とする。
【００５３】
・「展開状態」とは、収縮や弛み無く平坦に展開した状態を意味する。
【００５４】
・各部の寸法は、特に記載が無い限り、自然長状態ではなく展開状態における寸法を意味する。
【００５５】
・試験や測定における環境条件についての記載が無い場合、その試験や測定は、標準状態（試験場所は、温度２３±１℃、相対湿度５０±２％）の試験室又は装置内で行うものとする。
【００５６】
＜効果＞
図９に示すように、本発明に係るテープ式使い捨ておむつによれば、折り曲げ部Ｌを中心とする折り畳み部分に折り皺ＧＰや段差ＵＥが生じない（生じたとしてもごく僅かなものである）ため、折り皺ＧＰを要因とする横漏れの発生や、段差ＵＥを要因とする装着感の悪化を防止することができる。
【産業上の利用可能性】
【００５７】
本発明は、テープ式又はパンツ式等の使い捨ておむつの他、生理用ナプキン、パンティライナー、おりものシート、失禁パッド等、広範な用途に適用できるものである。
【符号の説明】
【００５８】
１…バックシート、２…透液性トップシート、３…吸収体、４…バリヤーシート、５…ファスニングテープ、６…ターゲットテープ、８…基材シート、９…フックテープ、３０…細長状弾性伸縮部材、５０…外側屈曲部分、５１…中央側隣接部分、５２…外側隣接部分、６０…高剛性部、１００…テープ式使い捨ておむつ、Ｌ…折り曲げ部、ＢＬ…背側折り曲げ部、ＦＬ…腹側折り曲げ部、ＧＰ…折り皺（溝）、ＵＥ…段差
【図１】
2020162829.tif 000003
【図２】
2020162829.tif 000004
【図３】
2020162829.tif 000005
【図４】
2020162829.tif 000006
【図５】
2020162829.tif 000007
【図６】
2020162829.tif 000008
【図７】
2020162829.tif 000009
【図８】
2020162829.tif 000010
【図９】
2020162829.tif 000011
【図１０】
2020162829.tif 000012
【図１１】
2020162829.tif 000013
【図１２】
2020162829.tif 000014